【事件の表示】
　平成１１年特許願第　６９４１５号「移動体ダイレクトリ番号をある無線サービスプロバイダから別の無線サービスプロバイダに移植するための方法」拒絶査定不服審判事件〔平成１２年　２月１８日出願公開、特開２０００−　５０３３３〕について、次のとおり審決する。
【結　論】
　本件審判の請求は、成り立たない。
【理　由】
１．手続の経緯・本願発明
　本願は、平成１１年３月１６日（パリ条約による優先権主張１９９８年３月１６日、米国）の出願であって、その請求項６に係る発明は、平成１５年２月１９日付け及び同年７月３１日付けの手続補正書により補正された明細書及び図面の記載からみて、特許請求の範囲の請求項６に記載されたとおりの次のものと認める。（以下、「本願発明」という。）
「無線端末と関連する移動体ダイレクトリ番号を提供側無線サービスプロバイダから受け取り側無線サービスプロバイダに移植する方法であって、
　該受け取り側無線サービスプロバイダを識別するロケーションルーティング番号を提供側のホームロケーションレジスタ内の該無線端末に対するエントリに入れることを該提供側無線サービスプロバイダに要請するメッセージを、番号移植性管理センタを経由することなく該受け取り側無線サービスプロバイダから受信するステップと、
　該受け取り側無線サービスプロバイダを識別する該ロケーションルーティング番号を含むように該提供側のホームロケーションレジスタ内の該無線端末に対するエントリを更新するステップを含むことを特徴とする方法。」
　　
２．引用例
　これに対して、原査定の拒絶の理由に引用された国際公開第９７／４７１５３号パンフレット（以下、「引用例」という。（パテントファミリー：特表２０００−５１１７２８号公報、以下、「対応公報」という。））、及び原査定の備考欄で周知例として引用された特開平７−３０９５３号公報（以下、「周知例」という。）には、それぞれ、図面とともに次の事項が記載されている。
　
（引用例）
Ａ．「
Technical Field of the Invention
　The present invention relates to a mobile telecommunications network and, in particular, to the routing of an incoming call to a mobile station relocated from a first home location register to a second home location register. 
　
Description of Related Art
　Within the Global System for Mobile (GSM) Communication or the Personal Communications System (PCS), each mobile station is assigned a unique identification number known as a Mobile Station Integrated Services Digital Network (MSISDN) number. A MSISDN number is dialed whenever a caller wants to communicate with a particular mobile station. The telecommunications network determines, by analyzing a part of the dialed MSISDN number, the particular home location register (HLR) which is associated with that mobile station and which stores routing information identifying the mobile switching center (MSC) currently serving the mobile station. By retrieving and utilizing such routing information, the telecommunications network is able to locate the mobile station in response to an incoming call so that a call connection can be established between the incoming caller and the mobile station. 」（第１頁第１２行〜第２頁第５行）
（和訳：「
発明の技術分野
　本発明は移動電気通信ネットワークに関し、特に第１のホーム位置レジスタから第２のホーム位置レジスタに再位置付けされる移動局に対する入力呼の経路選択に関する。
関連技術の説明
　移動通信用の広域システム（ＧＳＭ：Global System for Mobile Communication）またはパーソナル通信システム（ＰＣＳ：Personal Communications System）内では、移動局総合ディジタル通信網（ＭＳＩＳＤＮ：Mobile Station Integrated Services Digital Network）番号として既知の独自の識別番号が各移動局に割り当てられている。発呼者が特定の移動局と通信したいときにはいつもＭＳＩＳＤＮ番号がダイヤルされる。電気通信ネットワークはダイヤルしたＭＳＩＳＤＮ番号の一部を分析することによって、その移動局に関連すると共に、現在移動局のために機能している移動交換局（ＭＳＣ：mobile switching center）を識別する経路選択情報を記憶する特定のホーム位置レジスタ（ＨＬＲ：home location register）を決定する。この種の経路選択情報を取り出して利用することによって、電気通信ネットワークは入力呼に応じて移動局を位置させることができ、この結果、入力する発呼者及び移動局の間に通話接続を確立することができる。」（対応公報第７頁第１１〜２８行））
　
Ｂ．「SUMMARY OF THE INVENTION 
　The present invention provides a method and apparatus for transporting a telecommunications signal to a mobile station relocated (ported) from a first home location register (HLR) to a second HLR. Such a signal includes an incoming call signal for establishing a call connection with the ported mobile station. A network address representing an HLR associated with a mobile station and a mobile identification number representing that particular mobile station are correlated and stored in a centralized database. The data correlating the mobile identification number with the network address are further downloaded to the first HLR. In case a Gateway Mobile Switching Center (GMSC) associated with the first HLR receives an incoming signal intended for the ported mobile station without being rerouted by the centralized database, a signal requesting routing information is transmitted to the first HLR. The first HLR then retrieves the correlated network address representing the second HLR by indexing on the mobile identification number identifying the received signal. The retrieved network address is returned back to the GMSC. The GMSC accordingly reroutes the incoming signal to a Mobile Switching Center (MSC) currently serving the ported mobile station by utilizing the received network address as the Called Party Number. The original mobile identification number is further included in the Generic Address Parameter (GAP) of the rerouted signal. 」（第４頁第２６行〜第５頁第２２行）
（和訳：「発明の概要
　本発明は第１のホーム位置レジスタ（ＨＬＲ：home location register）から第２のＨＬＲに位置し直される（持ち運びされる）移動局に電気通信信号を移送する方法及び装置を提供する。この種の信号は持ち運びされた移動局との通話接続を確立するための入力呼信号を含んでいる。移動局に関連するＨＬＲを表わすネットワークアドレス及びこの特定の移動局を表わす移動識別番号が相関づけられ、集中型データベースに記憶される。移動識別番号とネットワークアドレスとを相関づけるデータは更に第１のＨＬＲにダウンロードされる。第１のＨＬＲに関連するゲートウェイ移動交換局（ＧＭＳＣ：Gateway Mobile Switching Center）が集中型データベースによって経路選択し直されること無く持ち運びされた移動局に対して予定された入力信号を受信する場合、経路選択情報を要求する信号は第１のＨＬＲに送信される。次いで、第１のＨＬＲは受信した信号を識別する移動識別番号を索引することによって第２のＨＬＲを表わす相関づけられたネットワークアドレスを取り出す。取り出したネットワークアドレスはＧＭＳＣに戻される。従って、ＧＭＳＣは受信したネットワークアドレスを被呼者番号として利用することによって、現在持ち運びされる移動局のために機能している移動交換局（ＭＳＣ：Mobile Switching Center）に入力信号を経路選択し直す。最初の移動識別番号は更に、経路選択し直した信号の総称アドレスパラメータ（ＧＡＰ：Generic Address Parameter）に含められる。」（対応公報第１０頁第５〜２３行））
　
Ｃ．「FIGURE 1 is a block diagram illustrating the network interconnection of multiple Public Land Mobile Networks (PLMNs) to a Public Switched Telephone Network (PSTN); 」（第５頁第２９〜３１行）
（和訳：「図１は公衆交換電話網（ＰＳＴＮ：Public Switched Telephone Network）に対する多数の公衆陸上移動網（ＰＬＭＮ：Public Land Mobile Network）のネットワーク相互接続を図示するブロック図である。」（対応公報第１０頁第２７〜２９行））
　
Ｄ．「Reference is now made to FIG. 7 illustrating the communication of an update signal from the centralized database SCP 120 to the donor HLR 90a in accordance with the teachings of the present invention. Whenever the mobile station 30 is ported from a first HLR 90a within the first PLMN 10a to a second HLR 90b within the second PLMN 10b, an operator 200 responsible for maintaining the centralized database SCP 120 is notified. The operator 200 accordingly informs the centralized database SCP 120 with data correlating the MSISDN associated with the ported mobile station 30 with the network address representing the new HLR 90b. As a result, the correlation data are indexed and stored in the centralized database SCP 120. An application module 127 within the centralized database SCP 120 then transmits a signal downloading the updated data to the donor HLR 90a. The transmitted signal includes the MSISDN associated with the ported mobile station 30 and the network address representing the new HLR 90b. In a manner similar to handling an incoming signal, the specified MSISDN of the transmitted signal is analyzed by the telecommunications network and the update signal is routed to the appropriate GMSC 80a within the PLMN 10a (signal link 210). The GMSC 80a, by analyzing the received MSISDN, forwards the update signal to the donor HLR 90a. The donor HLR 90a then stores the data correlating the ported MSISDN with the network address representing the second HLR 90b in a register (R) 95. As described previously, the network address representing the second HLR 90b also identifies the GMSC 80b and the PLMN 10b serving the ported mobile station 30. As a result, for all mobile stations ported out of the donor HLR 90a, the SCP 120 and the HLR 90a both store the correlation data. 」（第１５頁第１３行〜第１６頁第１４行）
（和訳：「ここで、本発明の教示に従って集中型データベースＳＣＰ　１２０からドナＨＬＲ９０ａに更新信号を伝達することを図示する図７を参照する。移動局３０が第１のＰＬＭＮ　１０ａ内の第１のＨＬＲ９０ａから第２のＰＬＭＮ　１０ｂ内の第２のＨＬＲ９０ｂに持ち運びされる毎に、集中型データベースＳＣＰ　１２０を維持するのに責任のあるオペレータ２００は通知を受ける。従って、このオペレータ２００は持ち運びされた移動局３０に関連するＭＳＩＳＤＮと新しいＨＬＲ９０ｂを表わすネットワークアドレスとを相関づけるデータを有する集中型データベースＳＣＰ　１２０に通知する。この結果、相関データが索引されて、集中型データベースＳＣＰ　１２０に記憶される。次いで、集中型データベースＳＣＰ　１２０内のアプリケーション・モジュール１２７は、更新したデータをダウンロードする信号をドナＨＬＲ９０ａに送信する。この送信した信号は持ち運びされる移動局３０に関連するＭＳＩＳＤＮ及び新しいＨＬＲ９０ｂを表わすネットワークアドレスを含んでいる。入力信号を処理するのと同様の方法で、送信した信号の指定したＭＳＩＳＤＮが電気通信ネットワークによって分析され、更新信号がＰＬＭＮ　１０ａ内の適切なＧＭＳＣ８０ａに経路選択される（信号リンク２１０）。受信したＭＳＩＳＤＮを分析することによって、ＧＭＳＣ８０ａはドナＨＬＲ９０ａに更新信号を送る。次いで、ドナＨＬＲ９０ａは持ち運びされたＭＳＩＳＤＮとレジスタ（Ｒ）９５の第２のＨＬＲ９０ｂを表わすネットワークアドレスとを相関づけるデータを記憶する。既に説明したように、第２のＨＬＲ９０ｂを表わすネットワークアドレスはまた、ＧＭＳＣ８０ｂ及び持ち運びされた移動局３０のために機能するＰＬＭＮ　１０ｂを識別する。この結果、ドナＨＬＲ９０ａの外部に持ち運びされる全ての移動局に対して、ＳＣＰ　１２０及びＨＬＲ９０ａの双方共に相関データを記憶する。」（対応公報第１８頁第２２行〜第１９頁第１６行））
　
　上記Ａ〜Ｄの記載及び関連する図面を参照すると、引用例には、次の発明が記載されているものと認められる。（以下、「引用例記載の発明」という。）
「移動局３０に関連する移動局総合ディジタル通信網（ＭＳＩＳＤＮ）番号を第１の公衆陸上移動網（ＰＬＭＮ）１０ａから第２の公衆陸上移動網（ＰＬＭＮ）１０ｂに持ち運びする方法であって、
　前記移動局３０に関連する移動局総合ディジタル通信網（ＭＳＩＳＤＮ）番号と前記第２の公衆陸上移動網（ＰＬＭＮ）１０ｂ内の第２のホーム位置レジスタ（ＨＬＲ）９０ｂを表わすネットワークアドレスとを相関づけるデータを、集中型データベースＳＣＰ１２０に記憶するステップと、
　前記第１の公衆陸上移動網（ＰＬＭＮ）１０ａ内の第１のホーム位置レジスタ（ＨＬＲ）９０ａが前記相関づけるデータを前記集中型データベースＳＣＰ１２０から受信するステップと、
　前記第２の公衆陸上移動網（ＰＬＭＮ）１０ｂ内の第２のホーム位置レジスタ（ＨＬＲ）９０ｂを表わすネットワークアドレスを含むように前記第１の公衆陸上移動網（ＰＬＭＮ）１０ａ内の第１のホーム位置レジスタ（ＨＬＲ）９０ａにおける前記移動局３０に対するエントリを更新するステップを含む方法。」
　
（周知例）
Ｅ．「【０００２】
【従来の技術】自動車電話システム等の移動通信システムにおいて、加入者が、ある事業者が提供する移動通信システムのサービスエリアから、異なる事業者が提供するサービスエリアへ移動した場合、すなわちローミングした場合、このローミング加入者が契約により本来受けているシステムサービスをローミング先のシステムにおいて継続させるため、これらの事業者間においてローミング加入者に関する各種加入者データが転送される。
【０００３】従来、このようなローミング加入者に関する事業者間加入者情報転送方法として、図４に示すような、各事業者が提供する網間における網間位置登録手順が採用されていた。図４において、１は移動元の移動通信網（以下、ＮＷ：NetWorkという）、２は移動先の移動通信網（ＮＷ）、５は、本来ＮＷ１に登録されており、ＮＷ１からＮＷ２へローミングする移動機（以下、ＭＳ：Mobile Station という）である。
【０００４】３は、ＮＷ１に登録されている加入者に関する加入者情報や位置情報を記憶するホームロケーションレジスタ（以下、ＨＬＲ：Home Location Register という）、４は、ＮＷ２にアクセスのあったＮＷ２に登録されている加入者以外の加入者に関する加入者データや位置情報を一時的に格納する関門ロケーションレジスタ（以下、ＧＬＲ：Gateway Location Register という）、６は、移動後のＭＳ５を管轄する在圏移動通信交換局（以下、ＶＭＳＣ：Visiter Mobile-services Switching Center という）である。
【０００５】また、１１１，１１２および１４１，１４２は、それぞれＨＬＲ３およびＧＬＲ４の内部データベースに設けられた、ＭＳ５に関する各種加入者管理情報を格納するための加入者情報管理テーブルであり、１１２，１４２は、ＭＳ５の加入者番号（以下、ＭＳＮ：Mobile Subscriber Number という）に割り当てられているテーブル、１１１，１４１は、ＭＳ５の移動機番号（以下、ＭＳＩ：Mobile Station Identity という）に割り当てられているテーブルであり、それぞれＭＳＮ，ＭＳＩにより検索される。
【０００６】これらの加入者情報管理テーブル１１１，１１２，１４１，１４２には、ＭＳ５に関する加入者管理情報として、各加入者および移動機に提供されているサービスを規定する発信情報や着信情報および課金情報等からなる加入者データ、各移動機の動作情報等からなる移動機データ、これらの正当性を認証するための加入者認証キー（以下、ＳＢＫＹ：mobile SuBscriber authentication KeY という）および移動機認証キー（以下、ＭＳＫＹ：Mobile Station authentication KeYという）等が格納されている。
【０００７】なお、ＭＳＮおよびＭＳＩに割り当てられている加入者情報管理テーブルには、互いに他方のテーブルを参照するための情報が格納されており、これにより加入者が複数の移動機を使用する場合等に、ＭＳＮに対応するすべてのＭＳＩが参照され呼制御情報として使用される。
【０００８】今、移動機ＭＳ５が、移動通信網ＮＷ１から異なる事業者が提供する移動通信網ＮＷ２へローミングした場合、ＭＳ５は、その移動先エリアを管轄する基地局（図示せず）から送信されている位置登録エリア番号（ＬＡＩ：Location Area Identity）を受信して、前回位置登録時に自機内に格納したＬＡＩと比較し、これらが一致しない場合には、新エリアでの位置登録が必要であると判断し、このエリアを管轄する基地局を介して在圏移動通信交換局ＶＭＳＣ６に対し、ＭＳＮ，ＭＳＩおよびＬＡＩを含む位置登録要求４１を送出する。
【０００９】ＶＭＳＣ６は、この位置登録要求４１に含まれるＭＳＮに基づき、この加入者が他の移動通信網からのローミング加入者であることを認識し、このローミング加入者およびローミング移動機ＭＳ５の認証を行うため、関門ロケーションレジスタＧＬＲ４に対して、受信した位置登録要求４１に格納されているＭＳＮ，ＭＳＩに基づき、認証情報読み出し要求４２を送出する。
【００１０】ＧＬＲ４は、この認証情報読み出し要求４２に応じて、ＭＳＮおよびＭＳＩに対応する加入者データおよび移動機データの有無を確認し、これらデータを保持していない場合すなわち初回位置登録時には、ＭＳＮに含まれる事業者識別情報で指示されるＮＷ１のホームロケーションレジスタＨＬＲ３に対して、網間認証情報読み出し要求４３を送出し、その応答としてＨＬＲ３から加入者認証キー（ＳＢＫＹ）および移動機認証キー（ＭＳＫＹ）を受信し、さらにＶＭＳＣ６からの認証読み出し要求４２に対する応答４４として、これら認証キーをＶＭＳＣ６に返送する。
【００１１】ＶＭＳＣ６は、ＧＬＲ４からのＳＢＫＹおよびＭＳＫＹに基づき、ローミング加入者およびローミング移動機ＭＳ５の認証処理を実施し、この認証結果が正常であれば、ＧＬＲ４に対して位置登録指示４５を送出するとともに、ＭＳ５に対して位置登録受付４６を送出する。なお、この位置登録指示４５には、ＭＳＮ，ＭＳＩ，ＬＡＩの他に、ＧＬＲ４からＶＭＳＣ６までの方路を示すルーチング番号（以下、ＰＲＮ：Pursuit Routing Number という）が含まれている。
【００１２】ＧＬＲ４は、ＶＭＳＣ６からの位置登録指示に応じて、ローミング移動機ＭＳ５に対して管理用の加入者ローミング番号（以下、ＲＯＮ：ROaming Number-mobile subscriber number という）、および移動機ローミング番号（以下、ＲＭＩ：Roaming number-Mobile station Identity）を割り当てて、このＲＯＮ，ＲＭＩ，ＭＳＮ，ＭＳＩ，ＬＡＩおよびＰＲＮを、内部データベースの加入者情報管理テーブル１４１，１４２にそれぞれ格納するとともに、ＨＬＲ３に対してこれら情報を含む網間位置登録要求４７を送出する。
【００１３】これに応じて、ＨＬＲ３は、ＭＳＩで検索した加入者情報管理テーブル１１１にＲＭＩ，ＰＲＮおよびＬＡＩを格納するとともに、ＭＳＮで検索した加入者情報管理テーブル１１２にＲＯＮを格納する。
【００１４】さらに、ＨＬＲ３は、網間位置登録応答４９として、加入者情報管理テーブル１１１，１１２に格納されている発信情報や着信情報等を含むの移動機データおよび加入者データをＧＬＲ４に返送し、ＧＬＲ４は、受信した移動機データおよび加入者データを、それぞれ加入者情報管理テーブル１４２および１４１に格納する。
【００１５】これにより、ローミング加入者およびローミング移動機ＭＳ５に対する位置登録処理が完了し、以降の位置登録処理および呼制御処理については、ＧＬＲ４内のこれら情報に基づき実施される。」
　
　上記段落【００１２】の記載によれば、ローミング元のホームロケーションレジスタＨＬＲ３は、ローミング先の関門ロケーションレジスタＧＬＲ４から、上位の管理装置を介することなく網間接続に関わる各種情報を受信している。
　よって、上記Ｅの記載及び図４を参照すると、周知例には、次の周知技術が記載されているものと認められる。
「移動通信システムにおいて、加入者が、ある事業者が提供する移動通信システムのサービスエリアから、異なる事業者が提供するサービスエリアへ移動し、ローミングを行う場合、ローミング元のホームロケーションレジスタＨＬＲが、ローミング先の関門ロケーションレジスタＧＬＲから、上位の管理装置を介することなく網間接続に関わる各種情報を受信すること。」
　
 ３．対比
　本願発明と引用例記載の発明とを対比すると、まず、引用例記載の発明における「移動局３０」、「移動局総合ディジタル通信網（ＭＳＩＳＤＮ）番号」、「第１の公衆陸上移動網（ＰＬＭＮ）１０ａ」、「第２の公衆陸上移動網（ＰＬＭＮ）１０ｂ」、「持ち運び」、「第２の公衆陸上移動網（ＰＬＭＮ）１０ｂ内の第２のホーム位置レジスタ（ＨＬＲ）９０ｂを表わすネットワークアドレス」、「第１の公衆陸上移動網（ＰＬＭＮ）１０ａ内の第１のホーム位置レジスタ（ＨＬＲ）９０ａ」、「集中型データベースＳＣＰ１２０」は、それぞれ、本願発明における「無線端末」、「移動体ダイレクトリ番号」、「提供側無線サービスプロバイダ」、「受け取り側無線サービスプロバイダ」、「移植」、「受け取り側無線サービスプロバイダを識別するロケーションルーティング番号」、「提供側のホームロケーションレジスタ」、「番号移植性管理センタ」に相当する。
　また、引用例記載の発明においては、移動局３０に関連するＭＳＩＳＤＮ番号と第２のＰＬＭＮ１０ｂ内の第２のＨＬＲ９０ｂを表わすネットワークアドレスとを相関づけるデータを、集中型データベースＳＣＰ１２０に記憶し、その後、第１のＰＬＭＮ１０ａ内の第１のＨＬＲ９０ａが、前記相関づけるデータを前記集中型データベースＳＣＰ１２０から受信するようにしているが、第１のＰＬＭＮ１０ａ内の第１のＨＬＲ９０ａに対して、移動局３０に関連するＭＳＩＳＤＮ番号と第２のＰＬＭＮ１０ｂ内の第２のＨＬＲ９０ｂを表わすネットワークアドレスとを相関づけるデータを受信させることによって、該ネットワークアドレスを第１のＨＬＲ９０ａ内の移動局３０に対するエントリに入れることになるものと解されるから、このことは、本願発明において、受け取り側無線サービスプロバイダを識別するロケーションルーティング番号を提供側のホームロケーションレジスタ内の無線端末に対するエントリに入れることに対応する事項であるということができる。
　
　したがって、本願発明と引用例記載の発明とは、
「無線端末と関連する移動体ダイレクトリ番号を提供側無線サービスプロバイダから受け取り側無線サービスプロバイダに移植する方法であって、
　該受け取り側無線サービスプロバイダを識別するロケーションルーティング番号を提供側のホームロケーションレジスタ内の該無線端末に対するエントリに入れるステップと、
　該受け取り側無線サービスプロバイダを識別する該ロケーションルーティング番号を含むように該提供側のホームロケーションレジスタ内の該無線端末に対するエントリを更新するステップを含む方法。」
である点で一致し、次の点で相違する。
　
　相違点：「受け取り側無線サービスプロバイダを識別するロケーションルーティング番号を提供側のホームロケーションレジスタ内の無線端末に対するエントリに入れる」にあたって、本願発明においては、「受け取り側無線サービスプロバイダを識別するロケーションルーティング番号を提供側のホームロケーションレジスタ内の無線端末に対するエントリに入れることを該提供側無線サービスプロバイダに要請するメッセージを、番号移植性管理センタを経由することなく該受け取り側無線サービスプロバイダから受信する」ようにしているのに対し、引用例記載の発明においては、「移動局３０に関連するＭＳＩＳＤＮ番号と前記第２のＰＬＭＮ１０ｂ内の第２のＨＬＲ９０ｂを表わすネットワークアドレスとを相関づけるデータを、集中型データベースＳＣＰ１２０に記憶」し、その後「第１のＰＬＭＮ１０ａ内の第１のＨＬＲ９０ａが前記相関づけるデータを前記集中型データベースＳＣＰ１２０から受信する」ようにしている点。
　
４．当審の判断
　そこで、上記相違点について検討する。
　上記周知例によれば、一般に、移動通信システムのローミング技術において、ローミング元のホームロケーションレジスタＨＬＲが、ローミング先の関門ロケーションレジスタＧＬＲから上位の管理装置を介することなく網間接続に関わる各種情報を受信することは、周知技術にすぎない。
　ここで、移動通信システムのローミング技術も、今まで利用していなかった無線サービスプロバイダを新たに利用するという点においては、無線端末と関連する移動体ダイレクトリ番号を提供側無線サービスプロバイダから受け取り側無線サービスプロバイダに移植して新たに受け取り側無線サービスプロバイダを利用する技術と共通するから、引用例記載の発明において、上記周知技術を適用し、「受け取り側無線サービスプロバイダを識別するロケーションルーティング番号を提供側のホームロケーションレジスタ内の無線端末に対するエントリに入れることを該提供側無線サービスプロバイダに要請するメッセージを、番号移植性管理センタを経由することなく該受け取り側無線サービスプロバイダから受信する」ようにすることは、当業者が適宜に設計できる事項にすぎないものと認められる。
　また、本願発明の構成によってもたらされる効果も、引用例記載の発明及び上記周知技術から当業者ならば容易に予測することができる程度のものであって、格別のものとはいえない。
　
５．むすび
　したがって、本願発明は、引用例記載の発明及び上記周知技術に基いて、当業者が容易に発明をすることができたものであるので、特許法第２９条第２項の規定により特許を受けることができない。
　よって、結論のとおり審決する。